【事件の表示】
　特許第３００７４９３号「高速高荷重用軸受装置及びこれを用いるスクリュー圧縮機」の請求項１ないし９に係る特許に対する特許異議の申立てについて、次のとおり決定する。
【結　論】
　特許第３００７４９３号の請求項１ないし９に係る特許を維持する。
【理　由】
Ｉ、手続の経緯・本件発明
　本件特許第３００７４９３号の請求項１〜９に係る発明についての出願は、平成４年９月８日（パリ条約による優先権主張１９９２年２月２７日、米国）に出願され、平成１１年１１月２６日に設定登録がなされたもので、その後、請求項１〜９に係る特許について大島誠より特許異議の申立がなされたものである。請求項１〜９に係る発明（以下「本件請求項１〜９に係る発明」という。）は、特許明細書及び図面の記載からみて、特許請求の範囲の請求項１〜９に記載された次のとおりのものと認められる。
　「【請求項１】　　異なる接触角をもつスラスト荷重のための第一及び第二の二つのアンギュラコンタクト軸受が共通のハウジング内に隣接して軸上に配設された高速高荷重用軸受装置において、第一のアンギュラコンタクト軸受は３０°〜４０°の範囲の接触角αをもつ主スラスト荷重のためのスラスト軸受として設けられ、第二のアンギュラコンタクト軸受は上記接触角αより小さい１５°〜２５°の範囲の接触角βをもつバックアップ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっていることを特徴とする高速高荷重用軸受装置。
    【請求項２】　　スラスト軸受とバックアップ軸受は背面組合せとなっていることとする請求項１に記載の高速高荷重用軸受装置。
    【請求項３】　　スラスト軸受とバックアップ軸受は正面組合せとなっていることとする請求項１に記載の高速高荷重用軸受装置。
    【請求項４】　　スラスト軸受とバックアップ軸受の接触角の差が少なくとも約５°であることとする請求項１に記載の高速高荷重用軸受装置。
    【請求項５】　　スラスト軸受とバックアップ軸受の接触角の差が１５°〜２５°の範囲にあることとする請求項４に記載の高速高荷重用軸受装置。
    【請求項６】　　スラスト軸受とバックアップ軸受の接触角の差が約１５°であることとする請求項５に記載の高速高荷重用軸受装置。
    【請求項７】　　ハウジングと、該ハウジング内にジャーナルをもつ一対のロータと、該ジャーナルをハウジング内で回転自在に支持する軸受装置とを有し、該軸受装置は、異なる接触角をもつスラスト荷重のための第一及び第二の二つのアンギュラコンタクト軸受が共通のハウジング内に隣接して軸上に配設された高速高荷重用軸受装置を有するスクリュー圧縮機において、第一のアンギュラコンタクト軸受は３０°〜４０°の範囲の接触角αをもつ主スラスト荷重のためのスラスト軸受として設けられ、第二のアンギュラコンタクト軸受は上記接触角αより小さい１５°〜２５°の範囲の接触角βをもつバックアップ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっていることを特徴とするスクリュー圧縮機。
    【請求項８】　　スラスト軸受とバックアップ軸受が背面組合せとなっていることとする請求項７に記載のスクリュー圧縮機。
    【請求項９】　　スラスト軸受とバックアップ軸受は正面組合せとなっていることとする請求項７に記載のスクリュー圧縮機。」
　
II、特許異議の申立の理由・証拠方法・適用条文
　これに対して、特許異議申立人は、甲第１〜５号証として本件特許出願前に頒布された下記の各刊行物を提示し、本件請求項１〜９に係る発明は、甲第１〜５号証刊行物に記載された発明に基づいて当業者が容易に発明をすることができたものであるから、本件特許は特許法第２９条第２項の規定に違反して特許されたものである旨主張している。
　甲第１号証：特開昭６１−１０３０１３号公報
　甲第２号証：米国特許第４７３０９９５号明細書
　甲第３号証：特開昭５８−１６０６２１号公報
　甲第４号証：西独国特許出願公開第２７４６１５１号明細書
　甲第５号証：ＭＲＣ　Ｂｅａｒｉｎｇ　Ｓｅｒｖｉｃｅｓ　ａ　
ｄｉｖｉｓｉｏｎ　ｏｆ　ＳＫＦ　ＵＳＡ　Ｉｎｃ．，Ｐｕｍｐａｃ　
Ｐｒｏｇｒａｍ，Ｍ２００−１００，Ｏｃｔ．　１９８９　第１〜１５頁
　
III、甲各号証の記載内容
　甲第１〜５号証刊行物に記載された発明についてみてみる。
（１）、甲第１号証刊行物には、
  第１頁左下欄第１５行〜同頁右下欄第２行に「乾式スクリュー圧縮機本体の横断面図を第１図に示す。乾式スクリュー圧縮機では雄ロータ１と雌ロータ２がタイミングギヤ９により互いに微少なすきまを保ちながら非接触で回転している。特開昭５９−９３９８３号では吸入側、及び吐出側に各々ころ軸受を配置しラジアル荷重を支え、吐出側に組合せアンギュラ玉軸受を配置しスラスト荷重を支えている構造となっている。」と、
　第１頁右下欄第１１〜２０行に「このような動きを押えるために組合せアンギュラ玉軸受や四点接触形の玉軸受が使用され、また軸受の寿命延長のため外輪はケーシングに対しルーズに設計されるのが通常である。従ってこれら軸受の外輪はケーシングに対し軸方向（スラスト方向）に動かないように固定されねばならない。第２図は公知例のアンギュラ玉軸受部の詳細図であるが、オサエ板を軸受外輪にあててボルトにケーシングに固定している。」と、
　第２頁左下欄第１２〜１６行に「特に乾式スクリュー圧縮機の如く高速回転体に適用すれば効果が大きい。４．図面の簡単な説明　第１図は乾式スクリュー圧縮機の横断面図、第２図は従来型のスラスト軸受部分の断面図、」と、
　第２頁右下欄第２〜５行に「１・・・雄ロータ、２・・・雌ロータ、３・・・ケーシング、４・・・組合せアンギュラ玉軸受（スラスト軸受）、５・・・円筒コロ軸受（吸入側）６・・・円筒コロ軸受（吐出側）、」と記載されている。
　そして、上記記載、及び第１〜４図の記載を併せて見ると、甲第１証刊行物には、以下の発明が記載されていると認められる。
　ケーシング３と、該ケーシング３内にジャーナルをもつ一対のロータ１，２と、該ジャーナルをケーシング３内で回転自在に支持する軸受装置とを有し、該軸受装置は、スラスト荷重のための第一及び第二の二つのアンギュラコンタクト軸受からなる組合せアンギュラ玉軸受４が共通のケーシング３内に隣接して軸上に配設された高速用軸受装置を有するスクリュー圧縮機において、第一及のアンギュラコンタクト軸受は、接触角をもつ主スラスト荷重のためのスラスト軸受として設けられ、第二のアンギュラコンタクト軸受は、接触角をもつバックアップ軸受として設けられ、組合せアンギュラ玉軸受４は、ケーシング３との間で周囲に半径方向隙間を形成してケーシング３とは該半径方向で非接触となっており、軸上には円筒ころ軸受５，６が半径方向でケーシング３と接触して配設されているスクリュー圧縮機。
　
（２）、甲第２号証刊行物には、
  第５欄第２１〜４２行に「ロータ１６の軸１８には、ロータ軸径が小さくなるカラー部２６がある。スクリューコンプレッサの組立時にシャフトシム２８が軸１８に取り付けられて、ロータ軸のカラー部２６に突き合わされる。
　次に、好ましい形態では、ラジアル荷重に対する軸受３０がロータ軸に押し付けられる。最後に、第一、第二及び第三の転がり軸受３２、３４及び３６が軸に押し付けられ、図示の方向に並べられる。この好ましい形態において、転がり軸受３２と３４とは、スクリューロータ１６をケーシングの高圧側端壁から遠ざける方向の軸方向推力を受けている。この様な推力は、コンプレッサの通常の運転中に生じる。しかし、転がり軸受３６は、ロータ１６をケーシングの高圧側端壁へ押し付ける方向の推力を受ける様に考慮され、また、下述する様な、コンプレッサの低負荷時のボールの滑りを小さくするために、軸受３２と３４とに予圧を加えるのに役立つ様に考慮されている。軸受３０、３２、３４及び３６は、スクリューロータ１６の高圧側端面から延びる軸に設けられる軸受群を構成する。」と記載されている。
　そして、上記記載、及び図の記載を併せて見ると、甲第２証刊行物には、以下の発明が記載されていると認められる。
　ハウジング１２と、該ハウジング１２内に軸１８をもつ一対のロータ１６と、該軸１８をハウジング１２内で回転自在に支持する軸受装置とを有し、該軸受装置は、スラスト荷重のための第一第二及び第三の三つの転がり軸受３２、３４及び３６が共通のハウジング１２内に隣接して軸上に配設された軸受装置を有するスクリュー圧縮機において、第一第二及び第三の転がり軸受３２、３４及び３６は、接触角をもつ主スラスト荷重のためのスラスト軸受、及び接触角をもつバックアップ軸受として設けられ、第一第二及び第三の転がり軸受３２、３４及び３６は、ハウジング１２との間で周囲に半径方向隙間を形成してハウジング１２とは該半径方向で非接触となっており、軸上には円筒ころ軸受が半径方向でハウジング１２と接触して配設されているスクリュー圧縮機。　
　
（３）、甲第３号証刊行物には、
  第１頁左下欄第１１〜１３行に「本発明はスクリュー圧縮機に係り、ラジアル荷重とスラスト荷重を支持する組合せ軸受装置に関する。」と
　第１頁右下欄第１９行〜第２頁左上欄第２行に「第１図は全体の断面図である。スクリュー圧縮機は一対のロータ（１）（２）とこれを囲み圧縮室を構成するケーシング（３）（４）およびロータの軸受装置（５）（６）（７）（８）により構成される。」と、
　第２頁左上欄第１５行〜同頁右上欄第３行に「本発明は軸受装置（７）（８）部分に関するものである。その要部詳細を第２図に示すように、アキシャル荷重を受ける軸受（７２），（８２）の接触角α２は主にラジアル荷重を受ける軸受（７１），（８１）の接触角α１より大きくなっている。」と、
　第２頁右上欄第１１〜１４行に「さらに、主にアキシャル荷重を受ける軸受（７２）のアウターレース（７２ｂ）の外周には逃げ４ａをもっており、軸受（７２）がラジアル荷重を受けないようになっている。」と、
　第２頁右上欄第１９行〜同頁左下欄第７行中に「主にラジアル荷重を受ける軸受（７１），（８１）の接触角α１を、アキシャル軸受（７２），（８２）より小さくすれば、軸受（７２），（８２）の受けるアキシャル荷重が小さくなり、軸受装置の寿命を延長することができる。尚、市販されているアンギュラ軸受の接触角は、１５°，３０°，４０°のものがあり、これらの中からα１＜α２の条件を満足するように組合せて使用することができる。」と記載されている。
　そして、上記記載、及び第１〜３図の記載を併せて見ると、甲第３証刊行物には、以下の発明が記載されていると認められる。
　　ケーシング（３）（４）と、該ケーシング（３）（４）内にジャーナルをもつ一対のロータ（１）（２）と、該ジャーナルをケーシング（３）（４）内で回転自在に支持する軸受装置とを有し、該軸受装置は、異なる接触角をもつ二つの軸受が共通のケーシング（３）（４）内に隣接して軸上に配設された軸受装置を有するスクリュー圧縮機において、アキシャル荷重を受ける軸受（７２），（８２）は３０°、又は４０°の接触角αをもつ主スラスト荷重のためのスラスト軸受として設けられ、主にラジアル荷重を受ける軸受（７１），（８１）は上記接触角αより小さい１５°、又は３０°の接触角βをもつラジアル軸受として設けられ、アキシャル荷重を受ける軸受（７２），（８２）は、ケーシング（３）（４）との間で周囲に半径方向隙間を形成してケーシング（３）（４）とは該半径方向で非接触となっているスクリュー圧縮機。
　
（４）、甲第４号証刊行物には、
  第４頁第２１行〜第５頁第１７行に「本発明の課題は、メインパテントに記載のスラストアンギュラコンタクト玉軸受の適用範囲をさらに広げて、スラスト力以外のかなり大きなラジアル力が生じる機械および装置においても組み込むことができるようにすることである。この課題は、本発明によれば、一方のボール列のボールが４５°以上のボール当接角で、他方のボール列のボールが４５°以下のボール当接角でそれぞれボール走行面で支持されていることにより解決される。（中略）一方のボール列のボール当接角がほぼ６０°で、第２のボール列のボール当接角がほぼ２０°であれば有利であることが判明した。次に、添付の図面に図示した二つの実施形態に関し本発明を説明する。図１は、外レースを分割したスラストアンギュラコンタクト玉軸受の断面図である。図２は、内レースを分割したスラストアンギュラコンタクト玉軸受の断面図である。」と記載されている。
　そして、上記記載、及び第１〜２図の記載を併せて見ると、甲第４証刊行物には、以下の発明が記載されていると認められる。
　異なるボール当接角をもつスラスト荷重のための一方及び他方の二つのボール列を有するスラストアンギュラ玉軸受において、一方のボール列は６０°のボール当接角αをもって設けられ、他方のボール列は上記ボール当接角αより小さい２０°のボール当接角βをもって設けられたスラストアンギュラ玉軸受。
（５）、甲第５号証刊行物には、
  第１１頁のＦｉｇｕｒｅ７には、軸受組合せ体を構成する１対のアンギュラコンタクト軸受のうち、一方の接触角を４０°とし、他方の接触角を１５°とした構造が記載されている。
　また、第５頁のＦｉｇｕｒｅ１ａには、二つのスラスト軸受を背面組合せ、及び正面組合せした構成が記載されている。
　
IV、対比・判断
１、本件請求項１に係る発明について
（１）、本件請求項１に係る発明と甲第１号証刊行物に記載された発明とを対比すると、甲第１号証刊行物に記載された発明の「ケーシング３」、「第一及び第二の二つのアンギュラコンタクト軸受からなる組合せアンギュラ玉軸受４」は、それぞれの機能に照らし、本件請求項１に係る発明の「ハウジング」、「第一及び第二の二つのアンギュラコンタクト軸受」に相当するから、
  両者は、「スラスト荷重のための第一及び第二の二つのアンギュラコンタクト軸受が共通のハウジング内に隣接して軸上に配設された高速用軸受装置において、第一のアンギュラコンタクト軸受は接触角をもつ主スラスト荷重のためのスラスト軸受として設けられ、第二のアンギュラコンタクト軸受は接触角をもつバックアップ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されている高速用軸受装置。」の点では一致するものの、甲第１号証刊行物に記載された発明は、スラスト荷重のための第一及び第二の二つのアンギュラコンタクト軸受について、本件請求項１に係る発明の構成に欠くことのできない事項である「二つは異なる接触角をもち、第一のアンギュラコンタクト軸受は３０°〜４０°の範囲の接触角αをもって設けられ、第二のアンギュラコンタクト軸受は上記接触角αより小さい１５°〜２５°の範囲の接触角βをもって設けられ、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高荷重用かどうかが明らかにされてない。
　
（２）、本件請求項１に係る発明と甲第２号証刊行物に記載された発明とを対比すると、甲第１号証刊行物に記載された発明の「第一第二及び第三の転がり軸受３２，３４及び３６」は、それぞれの機能に照らし、本件請求項１に係る発明の「第一及び第二の二つのアンギュラコンタクト軸受」に相当するから、
  両者は、「スラスト荷重のための第一、第二及び第三の三つのアンギュラコンタクト軸受が共通のハウジング内に隣接して軸上に配設された軸受装置において、第一のアンギュラコンタクト軸受は接触角をもつ主スラスト荷重のためのスラスト軸受として設けられ、第二のアンギュラコンタクト軸受は接触角をもつバックアップ軸受として設けられ、第一第二及び第三のアンギュラコンタクト軸受は、ハウジングとの間で周囲に半径方向隙間を形成してハウジングとは該半径方向で非接触となっており、軸上には円筒ころ軸受が半径方向でハウジングと接触して配設されている軸受装置。」の点では一致するものの、甲第２号証刊行物に記載された発明は、スラスト荷重のための第一及び第二の二つのアンギュラコンタクト軸受について、本件請求項１に係る発明の構成に欠くことのできない事項である「二つは異なる接触角をもち、第一のアンギュラコンタクト軸受は３０°〜４０°の範囲の接触角αをもって設けられ、第二のアンギュラコンタクト軸受は上記接触角αより小さい１５°〜２５°の範囲の接触角βをもって設けられ、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高速高荷重用かどうかが明らかにされてない。
　
 （３）、本件請求項１に係る発明と甲第３号証刊行物に記載された発明とを対比すると、甲第３号証刊行物に記載された発明の「ケーシング（３）（４）」、「アキシャル荷重を受ける軸受（７２），（８２）」、「主にラジアル荷重を受ける軸受（７１），（８１）」は、それぞれの機能に照らし、本件請求項１に係る発明の「ハウジング」、「第一のアンギュラコンタクト軸受」、「第二のアンギュラコンタクト軸受」に相当するから、
  両者は、「異なる接触角をもつ第一及び第二の二つのアンギュラコンタクト軸受が共通のハウジング内に隣接して軸上に配設された軸受装置において、第一のアンギュラコンタクト軸受は３０°〜４０°の範囲の接触角αをもつ主スラスト荷重のためのスラスト軸受として設けられ、第二のアンギュラコンタクト軸受は上記接触角αより小さい１５°〜２５°の範囲の接触角βをもつ軸受として設けられ、第一のアンギュラコンタクト軸受は、ハウジングとの間で周囲に半径方向隙間を形成してハウジングとは該半径方向で非接触となっている軸受装置。」の点では一致するものの、甲第３号証刊行物に記載された発明は、異なる接触角をもつ二つのアンギュラコンタクト軸受について、本件請求項１に係る発明の構成に欠くことのできない事項である「二つはスラスト荷重のためのものであり、第二のアンギュラコンタクト軸受はバックアップ軸受として設けられ、第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高速高荷重用かどうかが明らかにされてない。
　
（４）、本件請求項１に係る発明と甲第４号証刊行物に記載された発明とを対比すると、甲第４号証刊行物に記載された発明の「ボール当接角」、「スラストアンギュラ玉軸受」は、それぞれの機能に照らし、本件請求項１に係る発明の「接触角」、「第一及び第二の二つのアンギュラコンタクト軸受」に相当するから、
  両者は、「異なる接触角をもつスラスト荷重のためのアンギュラコンタクト軸受が、第一の軸受部分は接触角αをもち、第二の軸受部分は第一の軸受部分の接触角αより小さい１５°〜２５°の範囲の接触角βをもつ軸受として設けた軸受装置」の構成の点では一致するものの、甲第４号証刊行物に記載された発明は、本件請求項１に係る発明の構成に欠くことのできない事項である「スラスト荷重のための軸受が、第一及び第二の二つのアンギュラコンタクト軸受からなり、第一及び第二の二つのアンギュラコンタクト軸受が共通のハウジング内に隣接して軸上に配設された軸受装置において、第一のアンギュラコンタクト軸受は３０°〜４０°の範囲の接触角αをもつ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっている」構成を備えておらず、また、「軸受装置は高速高荷重用であり、第一のアンギュラコンタクト軸受は主スラスト荷重のためのスラスト軸受として設けられ、第二のアンギュラコンタクト軸受はバックアップ軸受として設けられている」のかどうかが明らかにされてない。
　
（５）、本件請求項１に係る発明と甲第５号証刊行物に記載された発明とを対比すると、
  両者は、「異なる接触角をもつスラスト荷重のための第一及び第二の二つのアンギュラコンタクト軸受が隣接して軸上に配設された軸受装置において、第一のアンギュラコンタクト軸受は３０°〜４０°の範囲の接触角αをもつ軸受として設けられ、第二のアンギュラコンタクト軸受は上記接触角αより小さい１５°〜２５°の範囲の接触角βをもつ軸受として設けられた軸受装置」の点では一致するものの、甲第５号証刊行物に記載された発明は、本件請求項１に係る発明の構成に欠くことのできない事項である「共通のハウジング内に配設された軸受装置において、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっている」の構成を備えておらず、また、「軸受装置は高速高荷重用であり、第一のアンギュラコンタクト軸受は主スラスト荷重のためのスラスト軸受として設けられ、第二のアンギュラコンタクト軸受はバックアップ軸受として設けられている」のかどうかが明らかにされてない。
　
（６）、上記（１）〜（５）のように、甲第１〜５号証刊行物に記載された発明は、それぞれ本件請求項１に係る発明と一致点を有しているが、上記いずれの発明も、本件請求項１に係る発明の構成に欠くことのできない事項である、「異なる接触角をもつスラスト荷重のための第一及び第二の二つのアンギュラコンタクト軸受は、ハウジングとの間で周囲に半径方向隙間を形成してハウジングとは該半径方向で非接触となっており、転動体に作用する遠心力にもとづく内部力によって第二のアンギュラコンタクト軸受に生じ第一のアンギュラコンタクト軸受に作用する誘導軸力が最小となるようになっている」構成を有していない点で相違しており、この相違点の構成が従来周知であるとも、自明の事項であるとも認められない。
　　そして、本件請求項１に係る発明は、上記構成により、本件特許明細書段落【００２０】の「本発明によると、スラスト軸受は軸受に作用する力を効果的に小さくし、これにより上述の従来のアンギュラコンタクト軸受の組合せ軸受に比して寿命を延ばすことができる。」等の明細書に記載された作用効果を期待できるものである。
　したがって、本件請求項１に係る発明は、甲第１〜５号証刊行物に記載された発明に基づいて当業者が容易に発明をすることができたものとすることができない。
　
２、本件請求項２〜６に係る発明について
　本件請求項２〜６に係る発明は、本件請求項１に係る発明を引用したものであり、本件請求項１に係る発明に構成要件を付加するものであるから、検討するまでもなく、上記甲第１〜５号証刊行物に記載された発明に基づいて当業者が容易にすることができたものとすることはできない。
　
３、本件請求項７に係る発明について
（１）、本件請求項７に係る発明と甲第１号証刊行物に記載された発明とを対比すると、甲第１号証刊行物に記載された発明の「ケーシング３」、「第一及び第二の二つのアンギュラコンタクト軸受からなる組合せアンギュラ玉軸受４」は、それぞれの機能に照らし、本件請求項７に係る発明の「ハウジング」、「第一及び第二の二つのアンギュラコンタクト軸受」に相当するから、
  両者は、「ハウジングと、該ハウジング内にジャーナルをもつ一対のロータと、該ジャーナルをハウジング内で回転自在に支持する軸受装置とを有し、該軸受装置は、スラスト荷重のための第一及び第二の二つのアンギュラコンタクト軸受が共通のハウジング内に隣接して軸上に配設された高速用軸受装置を有するスクリュー圧縮機において、第一のアンギュラコンタクト軸受は接触角をもつ主スラスト荷重のためのスラスト軸受として設けられ、第二のアンギュラコンタクト軸受は接触角をもつバックアップ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されているスクリュー圧縮機。」の点では一致するものの、甲第１号証刊行物に記載された発明は、スラスト荷重のための第一及び第二の二つのアンギュラコンタクト軸受について、本件請求項７に係る発明の構成に欠くことのできない事項である「二つは異なる接触角をもち、第一のアンギュラコンタクト軸受は３０°〜４０°の範囲の接触角αをもって設けられ、第二のアンギュラコンタクト軸受は上記接触角αより小さい１５°〜２５°の範囲の接触角βをもって設けられ、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高荷重用かどうかが明らかにされてない。
　
（２）、本件請求項７に係る発明と甲第２号証刊行物に記載された発明とを対比すると、甲第１号証刊行物に記載された発明の「軸１８」、「第一第二及び第三の転がり軸受３２、３４及び３６」は、それぞれの機能に照らし、本件請求項７に係る発明の「ジャーナル」、「第一及び第二の二つのアンギュラコンタクト軸受」に相当するから、
  両者は、「ハウジングと、該ハウジング内にジャーナルをもつ一対のロータと、該ジャーナルをハウジング内で回転自在に支持する軸受装置とを有し、該軸受装置は、スラスト荷重のための第一第二及び第三の三つのアンギュラコンタクト軸受が共通のハウジング内に隣接して軸上に配設された軸受装置を有するスクリュー圧縮機において、第一のアンギュラコンタクト軸受は接触角をもつ主スラスト荷重のためのスラスト軸受として設けられ、第二のアンギュラコンタクト軸受は接触角をもつバックアップ軸受として設けられ、第一第二及び第三のアンギュラコンタクト軸受は、ハウジングとの間で周囲に半径方向隙間を形成してハウジングとは該半径方向で非接触となっており、軸上には円筒ころ軸受が半径方向でハウジングと接触して配設されているスクリュー圧縮機。」の点では一致するものの、甲第２号証刊行物に記載された発明は、スラスト荷重のための第一及び第二の二つのアンギュラコンタクト軸受について、本件請求項７に係る発明の構成に欠くことのできない事項である「二つは異なる接触角をもち、第一のアンギュラコンタクト軸受は３０°〜４０°の範囲の接触角αをもって設けられ、第二のアンギュラコンタクト軸受は上記接触角αより小さい１５°〜２５°の範囲の接触角βをもって設けられ、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高速高荷重用かどうかが明らかにされてない。
　
（３）、本件請求項７に係る発明と甲第３号証刊行物に記載された発明とを対比すると、甲第３号証刊行物に記載された発明の「ケーシング（３）（４）」、「アキシャル荷重を受ける軸受（７２），（８２）」、「主にラジアル荷重を受ける軸受（７１），（８１）」は、それぞれの機能に照らし、本件請求項７に係る発明の「ハウジング」、「第一のアンギュラコンタクト軸受」、「第二のアンギュラコンタクト軸受」に相当するから、
  両者は、「ハウジングと、該ハウジング内にジャーナルをもつ一対のロータと、該ジャーナルをハウジング内で回転自在に支持する軸受装置とを有し、該軸受装置は、異なる接触角をもつ第一及び第二の二つのアンギュラコンタクト軸受が共通のハウジング内に隣接して軸上に配設された軸受装置を有するスクリュー圧縮機において、第一のアンギュラコンタクト軸受は３０°〜４０°の範囲の接触角αをもつ主スラスト荷重のためのスラスト軸受として設けられ、第二のアンギュラコンタクト軸受は上記接触角αより小さい１５°〜２５°の範囲の接触角βをもつ軸受として設けられ、第一のアンギュラコンタクト軸受は、ハウジングとの間で周囲に半径方向隙間を形成してハウジングとは該半径方向で非接触となっているスクリュー圧縮機。」の点では一致するものの、甲第３号証刊行物に記載された発明は、異なる接触角をもつ二つのアンギュラコンタクト軸受について、本件請求項７に係る発明の構成に欠くことのできない事項である「二つはスラスト荷重のためのものであり、第二のアンギュラコンタクト軸受はバックアップ軸受として設けられ、第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっている」構成を備えておらず、また、軸受装置は高速高荷重用かどうかが明らかにされてない。
　
（４）、本件請求項７に係る発明と甲第４号証刊行物に記載された発明とを対比すると、甲第４号証刊行物に記載された発明の「ボール当接角」、「スラストアンギュラ玉軸受」は、それぞれの機能に照らし、本件請求項７に係る発明の「接触角」、「第一及び第二の二つのアンギュラコンタクト軸受」に相当するから、
  両者は、「異なる接触角をもつスラスト荷重のためのアンギュラコンタクト軸受が、第一の軸受部分は接触角αをもち、第二の軸受部分は第一の軸受部分の接触角αより小さい１５°〜２５°の範囲の接触角βをもつ軸受として設けた軸受装置」の構成の点では一致するものの、甲第４号証刊行物に記載された発明は、本件請求項７に係る発明の構成に欠くことのできない事項である「ハウジングと、該ハウジング内にジャーナルをもつ一対のロータと、該ジャーナルをハウジング内で回転自在に支持する軸受装置とを有し、該軸受装置は、スラスト荷重のための軸受が、第一及び第二の二つのアンギュラコンタクト軸受からなり、第一及び第二の二つのアンギュラコンタクト軸受が共通のハウジング内に隣接して軸上に配設された軸受装置において、第一のアンギュラコンタクト軸受は３０°〜４０°の範囲の接触角αをもつ軸受として設けられ、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっているスクリュー圧縮機。」の構成を備えておらず、また、「軸受装置は高速高荷重用であり、第一のアンギュラコンタクト軸受は主スラスト荷重のためのスラスト軸受として設けられ、第二のアンギュラコンタクト軸受はバックアップ軸受として設けられている」のかどうかが明らかにされてない。
　
（５）、本件請求項７に係る発明と甲第５号証刊行物に記載された発明とを対比すると、
  両者は、「異なる接触角をもつスラスト荷重のための第一及び第二の二つのアンギュラコンタクト軸受が隣接して軸上に配設された軸受装置において、第一のアンギュラコンタクト軸受は３０°〜４０°の範囲の接触角αをもつ軸受として設けられ、第二のアンギュラコンタクト軸受は上記接触角αより小さい１５°〜２５°の範囲の接触角βをもつ軸受として設けられた軸受装置」の点では一致するものの、甲第５号証刊行物に記載された発明は、本件請求項７に係る発明の構成に欠くことのできない事項である「ハウジングと、該ハウジング内にジャーナルをもつ一対のロータと、該ジャーナルをハウジング内で回転自在に支持する軸受装置とを有し、該軸受装置は、共通のハウジング内に配設された軸受装置を有するスクリュー圧縮機において、第一及び第二のアンギュラコンタクト軸受は、ハウジングとの間で周囲に半径方向隙間を形成してハウジングとは該半径方向で非接触となっており、軸上には円筒ころ軸受が半径方向でハウジングと接触して配設されていて、転動体に作用する遠心力にもとづく内部力によって第二のアンギュラコンタクト軸受に生じ第一のアンギュラコンタクト軸受に作用する誘導軸力が最小となるようになっているスクリュー圧縮機。」の構成を備えておらず、また、「軸受装置は高速高荷重用であり、第一のアンギュラコンタクト軸受は主スラスト荷重のためのスラスト軸受として設けられ、第二のアンギュラコンタクト軸受はバックアップ軸受として設けられている」のかどうかが明らかにされてない。
　
（６）、上記（１）〜（５）のように、甲第１〜５号証刊行物に記載された発明は、それぞれ本件請求項７に係る発明とそれぞれ一致点を有しているが、上記いずれの発明も、本件請求項７に係る発明の構成に欠くことのできない事項である、「異なる接触角をもつスラスト荷重のための第一及び第二の二つのアンギュラコンタクト軸受は、ハウジングとの間で周囲に半径方向隙間を形成してハウジングとは該半径方向で非接触となっており、転動体に作用する遠心力にもとづく内部力によって第二のアンギュラコンタクト軸受に生じ第一のアンギュラコンタクト軸受に作用する誘導軸力が最小となるようになっている」構成を有していない点で相違しており、この相違点の構成が従来周知であるとも、自明の事項であるとも認められない。
　そして、本件請求項７に係る発明は、上記構成により、上記１の（６）と同様に本件特許明細書段落【００２０】等に記載された作用効果を期待できるものである。
　したがって、本件請求項７に係る発明は、甲第１〜５号証刊行物に記載された発明に基づいて当業者が容易に発明をすることができたものとすることができない。
　
４、本件請求項８〜９に係る発明について
　本件請求項８〜９に係る発明は、本件請求項７に係る発明を引用したものであり、本件請求項７に係る発明に構成要件を付加するものであるから、検討するまでもなく、上記甲第１〜５号証刊行物に記載された発明に基づいて当業者が容易にすることができたものとすることはできない。
　
Ｖ、むすび
　以上のとおりであるから、特許異議の申立人が主張する理由及び提出した証拠によっては、本件請求項１〜９に係る発明についての特許を取り消すことはできない。
　また、他に本件請求項１〜９に係る発明についての特許を取り消すべき理由を発見しない。
　したがって、本件請求項１〜９に係る発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１１月２９日（２０００．１１．２９）